(57)【要約】【課題】ある通信手段で画像データを受信できない状態にあっても、他の通信手段で画像データを受信できるようにして、早期の画像データ送信、確実な画像データの受信を図る。【解決手段】ＩＰファックスがビジーであったときは、その受信側の画像処理装置１では、アナログファックスなど複数の通信手段のうちＩＰファックスの代替通信手段として最適なものを予め定められた基準に基づいて選択する。そして、ＩＰファックスがビジーである旨と選択した通信手段が何であるかを送信側に報知する。【選択図】図１
2010056820.tif 000002
【特許請求の範囲】
【請求項１】
第１の通信手段により画像データを受信する第１の受信手段と、
第２の通信手段により画像データを受信する１又は複数種類の第２の受信手段と、
前記第１の通信手段を介して画像データを受信するための被呼があったときに当該第１の通信手段において当該画像データを受信することが他の画像データを受信するためにできないときは、予め定められた基準に基づいて前記第２の通信手段の中から一種類を決定する決定手段と、
前記決定手段で決定した前記第２の通信手段がいずれであるかを前記第１の通信手段により前記被呼にかかる画像データを受信することができない旨の通知とともに発呼先へ報知する報知手段と、
を備えている画像通信装置。
【請求項２】
前記第１の通信手段により画像データを送信する第１の送信手段と、
前記第２の通信手段により画像データを送信する１又は複数種類の第２の送信手段と、
前記第１の通信手段による画像データの送信の要求があったときは前記第１の通信手段により送信先に発呼する発呼手段と、
前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該報知を受けた前記第２の通信手段で前記送信の要求があった画像データの送信を実行する送信実行手段と、
を備えている画像通信装置。
【請求項３】
前記報知手段による報知後に前記発呼先から前記第１の通信手段又は前記報知手段により報知した前記第２の通信手段により発呼があったときは、画像データを受信することができる当該第１の通信手段又は第２の通信手段により被呼応答する被呼応答手段をさらに備えている請求項１に記載の画像通信装置。
【請求項４】
前記第１の通信手段により画像データを送信する第１の送信手段と、
前記第２の通信手段により画像データを送信する１又は複数種類の第２の送信手段と、
前記第１の通信手段による画像データの送信の要求があったときは前記第１の通信手段により送信先に発呼する発呼手段と、
前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該第１の通信手段及び当該報知を受けた第２の通信手段の両方で前記送信先に発呼し、このうち回線の確立した方で前記送信の要求があった画像データの送信を実行し、他方の発呼を停止する送信実行手段と、
を備えている画像通信装置。
【請求項５】
第１の通信手段により画像データを受信する第１の受信手段と、
第２の通信手段により画像データを受信する１又は複数種類の第２の受信手段と、
前記第１の通信手段を介して画像データを受信するための被呼があったときに当該第１の通信手段において当該画像データを受信することが他の画像データを受信するためにできないときは、予め定められた基準に基づいて前記第２の通信手段の中から一種類を決定する決定手段と、
前記決定手段で決定した前記第２の通信手段がいずれであるかを前記第１の通信手段により前記被呼にかかる画像データを受信することができない旨の通知とともに発呼先へ報知する報知手段と、
をコンピュータに実行させるコンピュータに読取可能な画像通信制御プログラム。
【請求項６】
前記第１の通信手段により画像データを送信する第１の送信手段と、
前記第２の通信手段により画像データを送信する１又は複数種類の第２の送信手段と、
前記第１の通信手段による画像データの送信の要求があったときは前記第１の通信手段により送信先に発呼する発呼手段と、
前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該報知を受けた前記第２の通信手段で前記送信の要求があった画像データの送信を実行する送信実行手段と、
をコンピュータに実行させるコンピュータに読取可能な画像通信制御プログラム。
【請求項７】
前記報知手段による報知後に前記発呼先から前記第１の通信手段又は前記報知手段により報知した前記第２の通信手段により発呼があったときは、画像データを受信することができる当該第１の通信手段又は第２の通信手段により被呼応答する被呼応答手段をさらにコンピュータに実行させる請求項５に記載の画像通信制御プログラム。
【請求項８】
前記第１の通信手段により画像データを送信する第１の送信手段と、
前記第２の通信手段により画像データを送信する１又は複数種類の第２の送信手段と、
前記第１の通信手段による画像データの送信の要求があったときは前記第１の通信手段により送信先に発呼する発呼手段と、
前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該第１の通信手段及び当該報知を受けた第２の通信手段の両方で前記送信先に発呼し、このうち回線の確立した方で前記送信の要求があった画像データの送信を実行し、他方の発呼を停止する送信実行手段と、
をコンピュータに実行させるコンピュータに読取可能な画像通信制御プログラム。
【発明の詳細な説明】
【技術分野】
【０００１】
本発明は、画像通信装置及び画像通信制御プログラムに関する。
【背景技術】
【０００２】
あるファクシミリ装置においてファックスの大量送受信中であると、当該大量送受信が終了するまでに長時間を要し、別の者がファックスを当該ファクシミリ装置に送信しようとしてもタイマー機能により何度か送信の再挑戦を行った後に送信未達レポートが出力されることになる。そのため、当該別の者はファックスを送信したつもりになっていても実際は相手にファックスは届いていないということになりがちである。
【０００３】
この場合、受信側のファクシミリ装置において、ＩＰファックスとアナログファックスが両方使える場合など、画像データを受信する手段が複数系統ある場合は、１系統の画像データを受信する手段がビジー中であっても他の画像データを受信する手段が現在使用可能であり、当該画像データを受信する手段がビジー中の画像データを受信する手段の代替手段となりうるときは、当該画像データを受信する手段により画像データを受信するようにすれば、送信者はある画像データを受信する手段がビジー中であってもただちに画像を送ることができ、受信者も当該画像をただちに受取ることができる。
【０００４】
特許文献１には、受信機の受信に使用可能な資源に関する情報を送信機に通知し、複数部出力及びその出力部数を制御する技術について開示されている。
【０００５】
特許文献２には、適切なインターネットファクシミリプロトコルを選択できるようにして、インターネットファクシミリプロトコルを用いる必要がある機器のセットアップを行う技術について開示されている。
【０００６】
特許文献３には、被呼側のＩＰファクシミリ装置において、画像データを受信することができない事情がある場合、発呼側に画像データの再送信の負担を負わせることなく、当該事情が解消した後に、当初受信することができなかった画像データを取得できるようにした画像通信装置について開示されている。
【特許文献１】特開２０００‐１２５０７０号公報
【特許文献２】特開２０００‐３４１４５１号公報
【特許文献３】特開２００６‐２２９３９５号公報
【発明の開示】
【発明が解決しようとする課題】
【０００７】
本発明の目的は、ある通信手段で画像データを受信できない状態にあっても、他の通信手段で画像データを受信できるようにして、早期の画像データ送信、確実な画像データの受信を図ることである。
【課題を解決するための手段】
【０００８】
請求項１に記載の発明は、第１の通信手段により画像データを受信する第１の受信手段と、第２の通信手段により画像データを受信する１又は複数種類の第２の受信手段と、前記第１の通信手段を介して画像データを受信するための被呼があったときに当該第１の通信手段において当該画像データを受信することが他の画像データを受信するためにできないときは、予め定められた基準に基づいて前記第２の通信手段の中から一種類を決定する決定手段と、前記決定手段で決定した前記第２の通信手段がいずれであるかを前記第１の通信手段により前記被呼にかかる画像データを受信することができない旨の通知とともに発呼先へ報知する報知手段と、を備えている画像通信装置である。
【０００９】
請求項２に記載の発明は、前記第１の通信手段により画像データを送信する第１の送信手段と、前記第２の通信手段により画像データを送信する１又は複数種類の第２の送信手段と、前記第１の通信手段による画像データの送信の要求があったときは前記第１の通信手段により送信先に発呼する発呼手段と、前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該報知を受けた前記第２の通信手段で前記送信の要求があった画像データの送信を実行する送信実行手段と、を備えている画像通信装置である。
【００１０】
請求項３に記載の発明は、請求項１に記載の画像通信装置において、前記報知手段による報知後に前記発呼先から前記第１の通信手段又は前記報知手段により報知した前記第２の通信手段により発呼があったときは、画像データを受信することができる当該第１の通信手段又は第２の通信手段により被呼応答する被呼応答手段をさらに備えている。
【００１１】
請求項４に記載の発明は、前記第１の通信手段により画像データを送信する第１の送信手段と、前記第２の通信手段により画像データを送信する１又は複数種類の第２の送信手段と、前記第１の通信手段による画像データの送信の要求があったときは前記第１の通信手段により送信先に発呼する発呼手段と、前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該第１の通信手段及び当該報知を受けた第２の通信手段の両方で前記送信先に発呼し、このうち回線の確立した方で前記送信の要求があった画像データの送信を実行し、他方の発呼を停止する送信実行手段と、を備えている画像通信装置である。
【００１２】
請求項５に記載の発明は、第１の通信手段により画像データを受信する第１の受信手段と、第２の通信手段により画像データを受信する１又は複数種類の第２の受信手段と、前記第１の通信手段を介して画像データを受信するための被呼があったときに当該第１の通信手段において当該画像データを受信することが他の画像データを受信するためにできないときは、予め定められた基準に基づいて前記第２の通信手段の中から一種類を決定する決定手段と、前記決定手段で決定した前記第２の通信手段がいずれであるかを前記第１の通信手段により前記被呼にかかる画像データを受信することができない旨の通知とともに発呼先へ報知する報知手段と、をコンピュータに実行させるコンピュータに読取可能な画像通信制御プログラムである。
【００１３】
請求項６に記載の発明は、前記第１の通信手段により画像データを送信する第１の送信手段と、前記第２の通信手段により画像データを送信する１又は複数種類の第２の送信手段と、前記第１の通信手段による画像データの送信の要求があったときは前記第１の通信手段により送信先に発呼する発呼手段と、前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該報知を受けた前記第２の通信手段で前記送信の要求があった画像データの送信を実行する送信実行手段と、をコンピュータに実行させるコンピュータに読取可能な画像通信制御プログラムである。
【００１４】
請求項７に記載の発明は、請求項５に記載の画像通信制御プログラムにおいて、前記報知手段による報知後に前記発呼先から前記第１の通信手段又は前記報知手段により報知した前記第２の通信手段により発呼があったときは、画像データを受信することができる当該第１の通信手段又は第２の通信手段により被呼応答する被呼応答手段をさらにコンピュータに実行させる。
【００１５】
請求項８に記載の発明は、前記第１の通信手段により画像データを送信する第１の送信手段と、前記第２の通信手段により画像データを送信する１又は複数種類の第２の送信手段と、前記第１の通信手段による画像データの送信の要求があったときは前記第１の通信手段により送信先に発呼する発呼手段と、前記発呼手段による発呼の結果、前記送信先から当該送信先において前記第１の通信手段では画像データを受信できない旨の通知とともに当該第１の通信手段に代えていずれかの前記第２の通信手段での当該画像データの受信を行う旨の報知を受けたときは、当該第１の通信手段及び当該報知を受けた第２の通信手段の両方で前記送信先に発呼し、このうち回線の確立した方で前記送信の要求があった画像データの送信を実行し、他方の発呼を停止する送信実行手段と、をコンピュータに実行させるコンピュータに読取可能な画像通信制御プログラムである。
【発明の効果】
【００１６】
請求項１に記載の発明によれば、本構成を有しない場合に比べて、早期の画像データ送信、確実な画像データの受信を図る。
【００１７】
請求項２に記載の発明によれば、本構成を有しない場合に比べて、早期の画像データ送信、確実な画像データの受信を図る。
【００１８】
請求項３に記載の発明によれば、第２の通信手段だけで発呼する場合に比べて、早期の画像データ送信、確実な画像データの受信を図る。
【００１９】
請求項４に記載の発明によれば、第２の通信手段だけで発呼する場合に比べて、早期の画像データ送信、確実な画像データの受信を図る。
【００２０】
請求項５に記載の発明によれば、本構成を有しない場合に比べて、早期の画像データ送信、確実な画像データの受信を図る。
【００２１】
請求項６に記載の発明によれば、本構成を有しない場合に比べて、早期の画像データ送信、確実な画像データの受信を図る。
【００２２】
請求項７に記載の発明によれば、第２の通信手段だけで発呼する場合に比べて、早期の画像データ送信、確実な画像データの受信を図る。
【００２３】
請求項８に記載の発明によれば、第２の通信手段だけで発呼する場合に比べて、早期の画像データ送信、確実な画像データの受信を図る。
【発明を実施するための最良の形態】
【００２４】
以下、本発明の実施の形態について複数例説明する。
【００２５】
＜実施の形態１＞
図１は、本発明の一実施の形態である画像処理装置をオフィス等に導入した場合のシステム構成を示す説明図である。
【００２６】
画像処理装置１は、コピー、プリント、スキャン、ファックス送受信などの複合的な機能を備えており、当該画像処理装置１が設置されたオフィスなどに導入されているＬＡＮ２、ファイアーウォール３、インターネット４を介してＩＰファックスなどにより画像データの送受信を行うことができる。
【００２７】
また、公衆回線網５を介してアナログファックスによる画像データの送受信を行うことができる。
【００２８】
ＬＡＮ２に接続されたＳＩＰ（Session Initiation Protocol）サーバ６は、ＩＰファックスを送信する際に、電話番号をＩＰアドレスに変換して、受信側の装置に接続要求を行う。
【００２９】
なお、以下の例では、画像処理装置１ａを送信側の装置、画像処理装置１ｂを受信側の装置として説明する。
【００３０】
図２は、画像処理装置の電気的な接続のブロック図である。
【００３１】
画像処理装置１は、各部を集中的に制御するＣＰＵ１１と、ＣＰＵ１１が動作するための制御プログラム１２や固定データが記憶されたＲＯＭ１３と、ＣＰＵ１１の作業領域となるＲＡＭ１４とが接続されたシステム制御部１５を備えている。
【００３２】
システム制御部１５には、原稿の画像を読み取る画像読取装置１６、画像データに基づいて用紙などの媒体上に画像形成する画像形成装置１７、各種データを記憶する磁気記憶装置１８、画像データを記憶する画像メモリ１９、ＬＡＮ２やインターネット４と通信を行う通信制御装置２０、公衆回線網５と通信を行う通信制御装置２１、及び、操作パネル２２が接続されている。
【００３３】
制御プログラム１２は、当初からＲＯＭ１２に格納されていても良いが、制御プログラム１２を搬送波の形態でインターネット４などを介して画像処理装置１に送信し、この送信された制御プログラム１２を磁気記憶装置１８などにセットアップするようにしてもよい。あるいは、制御プログラム１２をＣＤ，ＤＶＤ，ＭＯなどの記憶媒体に格納した状態で提供し、これらの記憶媒体を読み取る読取装置によって読み取り、この読み取った制御プログラム１２を磁気記憶装置１８などにセットアップするようにしてもよい。
【００３４】
画像処理装置１は、画像読取装置１６で読み取った画像データをＬＡＮ２、インターネット４、又は、公衆回線網５を介して他のファクシミリ装置などに転送する通信手段として、次の４種類の手段を備えている。
【００３５】
（１）ＩＰファックス送信
ＬＡＮ２、インターネット４を通じてＳＩＰサーバ６経由でＩＰファックスを相手のファクシミリ装置などに転送する通信手段である。
【００３６】
（２）Ｇ３／Ｇ４ファックス送信
公衆回線網５を通じで従来のアナログファックスにより画像を相手のファクシミリ装置などに転送する通信手段である。
【００３７】
（３）ダイレクト転送
Scan to FTP（File
Transfer Protocol），Scan to SMB（Sever
Message Block），Scan to HTTP（Hyper
Text Transfer Protocol）又はScan to SIP（Session Initiation Protocol）により、ＬＡＮ２、インターネット４を通じて画像データを相手装置に転送する通信手段である。
【００３８】
（４）Scan to E-mail
ＬＡＮ２、インターネット４を通じてメールサーバ（図示せず）を経由し画像データをE-mailに添付して相手装置に転送する通信手段である。
【００３９】
次に、画像処理装置１ａを送信側の装置、画像処理装置１ｂを受信側の装置として、画像処理装置１が実行する画像データの送受信処理について説明する。
【００４０】
図３は、画像処理装置１ａの処理を説明するフローチャートであり、図４は、画像処理装置１ｂの処理を説明するフローチャートである。
【００４１】
画像処理装置１は通常はＩＰファックス送受信を行う。そこで、ファックス送信を行おうとするユーザが原稿を画像処理装置１ａにセットして、相手先を指定してＩＰファックス送信の実行を操作パネル２２の操作により指示すると（ステップＳ１のＹ）、画像処理装置１ａのシステム制御部１５（のＣＰＵ１１）は、原稿の画像を画像読取装置１６で読み取って、画像メモリ１９に蓄積し（ステップＳ２）、相手先に発呼する（ステップＳ３）。
【００４２】
これにより、相手先の画像処理装置１ｂが被呼されると（ステップＳ３１のＹ）、ＩＰファックスの回線は使用可能か否かを判断する（ステップＳ３２）。ＩＰファックスの回線が使用可能であるときは（ステップＳ３２のＹ）、画像処理装置１ａに成功応答を行なう（ステップＳ３３）。ＩＰファックスの回線がビジーであるときは（ステップＳ３４のＹ）、ステップＳ３６に進み、その他の理由でＩＰファックスの回線が使用不能であるときは（ステップＳ３４のＮ）、画像処理装置１ａにエラー応答を行なって（ステップＳ３５）、処理を終了する。
【００４３】
ＩＰファックスの回線がビジーであるときは（ステップＳ３４のＹ）、ＩＰファックスに代替する画像データ受信に最適な通信手段（代替通信手段）を選択する（ステップＳ３６）。
【００４４】
この選択は、前述の（２）〜（４）の通信手段の中から予め定められた基準に基づいて行う。
【００４５】
まず、画像処理装置１ａに対して画像処理装置１ｂが同一オフィス内（オフィスの内外はＬＡＮ２の範囲内か、インターネット４かで判断）の装置であれば（３）ダイレクト転送や（４）Scan to E-mailを選択し、画像処理装置１ａに対して画像処理装置１ｂが同一オフィス外の装置であれば（２）Ｇ３／Ｇ４ファックス送信を選択する。
【００４６】
また、同一オフィス内でもファックスで画像を受け取りたいという場合もあり、この場合は、（３）ダイレクト転送や（４）Scan to E-mailに代えて、（２）Ｇ３／Ｇ４ファックス送信を選択する。一方、画像送信の迅速性や画質を重視するなら同一オフィス内では（３）ダイレクト転送や（４）Scan to E-mailを選択する。同一オフィス内でどの手段を選択するかは画像処理装置１ｂ内の設定に基づいて判断する。
【００４７】
代替通信手段を選択すると（ステップＳ３６）、ＩＰファックスの回線はビジー状態である旨とともに選択した通信手段がいずれであるかを報知する応答を行う（ステップＳ３７）。
【００４８】
これらを受け、画像処理装置１ａでは、画像処理装置１ｂから成功応答を受信すると（ステップＳ４のＹ）、ＩＰファックスで画像データを送信する（ステップＳ５）。報知する応答があったときは（ステップＳ６のＹ）、報知を受けた代替通信手段により画像処理装置１ｂを発呼する（ステップＳ７）。エラー応答があったときは（ステップＳ６のＮ）、処理を終了する。
【００４９】
画像処理装置１ｂでは、代替通信手段として選択した通信手段により被呼されると（ステップＳ３８のＹ）、ビジーその他の理由により当該代替通信手段の回線を使用できないときは（ステップＳ３９のＮ）、エラー応答を画像処理装置１ａに送信し（ステップＳ４０）、処理を終了する。当該代替通信手段の回線を使用可能なときは（ステップＳ３９のＹ）、成功応答を画像処理装置１ａに行う（ステップＳ４１）。また、ステップＳ５で送信される画像データをＩＰファックスで受信する（ステップＳ４２）。
【００５０】
画像処理装置１ａでは、成功応答があったときは（ステップＳ８のＹ）、当該代替通信手段で画像データを送信する（ステップＳ９）。そして、これを画像処理装置１ｂでは受信する（ステップＳ４３）。
【００５１】
図５は、ステップＳ３７でＩＰファックスの回線はビジー状態である旨とともに選択した通信手段がいずれであるかを報知する応答を行うときに、応答で送信するパケットのフォーマットの例を示す説明図である。
【００５２】
このパケットには、ＳＩＰ５１が含まれており、このＳＩＰ５１のStatus-Line５２の部分にＩＰファックスの回線はビジー状態であることを報知する情報が含められ、また、SDP(Message Body)５３の部分に選択した通信手段がいずれであるかを報知する情報が含められている。
【００５３】
このように、画像処理装置１によれば、ＩＰファックスがビジー状態であっても、受信側では自らが画像データを受信できる他の通信手段の中から予め定められた基準に基づいて選択して、当該通信手段で画像データを受信できるようにして、早期の画像データ送信、確実な画像データの受信を図る。
【００５４】
＜実施の形態２＞
本実施の形態においても図１、図２を参照して説明したハードウェア構成や、図５を参照して説明したデータ構成は実施の形態１と共通であり、詳細な説明は省略する。
【００５５】
本実施の形態が実施の形態１と異なるのは、図３、図４の処理に代えて図６、図７の処理を行うことである。図６は、画像処理装置１ａの処理を説明するフローチャートであり、図７は、画像処理装置１ｂの処理を説明するフローチャートである。
【００５６】
画像処理装置１は通常はＩＰファックス送受信を行う。そこで、ファックス送信を行おうとするユーザが原稿を画像処理装置１ａにセットして、相手先を指定してＩＰファックス送信の実行を操作パネル２２の操作により指示すると（ステップＳ１のＹ）、画像処理装置１ａのシステム制御部１５（のＣＰＵ１１）は、原稿の画像を画像読取装置１６で読み取って、画像メモリ１９に蓄積し（ステップＳ２）、相手先に発呼する（ステップＳ３）。
【００５７】
これにより、相手先の画像処理装置１ｂが被呼されると（ステップＳ３１のＹ）、ＩＰファックスの回線は使用可能か否かを判断する（ステップＳ３２）。ＩＰファックスの回線が使用可能であるときは（ステップＳ３２のＹ）、画像処理装置１ａに成功応答を行なう（ステップＳ３３）。ＩＰファックスの回線がビジーであるときは（ステップＳ３４のＹ）、ステップＳ３６に進み、その他の理由でＩＰファックスの回線が使用不能であるときは（ステップＳ３４のＮ）、画像処理装置１ａにエラー応答を行なって（ステップＳ３５）、処理を終了する。
【００５８】
ＩＰファックスの回線がビジーであるときは（ステップＳ３４のＹ）、ＩＰファックスに代替する画像データ受信に最適な通信手段（代替通信手段）を選択する（ステップＳ３６）。
【００５９】
この選択は、前述の（２）〜（４）の通信手段の中から予め定められた基準に基づいて行う。
【００６０】
まず、画像処理装置１ａに対して画像処理装置１ｂが同一オフィス内（オフィスの内外はＬＡＮ２の範囲内か、インターネット４かで判断）の装置であれば（３）ダイレクト転送や（４）Scan to E-mailを選択し、画像処理装置１ａに対して画像処理装置１ｂが同一オフィス外の装置であれば（２）Ｇ３／Ｇ４ファックス送信を選択する。
【００６１】
また、同一オフィス内でもファックスで画像を受け取りたいという場合もあり、この場合は、（３）ダイレクト転送や（４）Scan to E-mailに代えて、（２）Ｇ３／Ｇ４ファックス送信を選択する。一方、画像送信の迅速性や画質を重視するなら同一オフィス内では（３）ダイレクト転送や（４）Scan to E-mailを選択する。同一オフィス内でどの手段を選択するかは画像処理装置１ｂ内の設定に基づいて判断する。
【００６２】
代替通信手段を選択すると（ステップＳ３６）、ＩＰファックスの回線はビジー状態である旨とともに選択した通信手段がいずれであるかを報知する応答を行う（ステップＳ３７）。
【００６３】
これらを受け、画像処理装置１ａでは、画像処理装置１ｂから成功応答を受信すると（ステップＳ４のＹ）、ＩＰファックスで画像データを送信し（ステップＳ５）、画像処理装置１ｂではこれを受信する（ステップＳ４２）。報知する応答があったときは（ステップＳ６のＹ）、報知を受けた代替通信手段及びＩＰファックスにより画像処理装置１ｂを発呼する（ステップＳ６１）。エラー応答があったときは（ステップＳ６のＮ）、処理を終了する。
【００６４】
画像処理装置１ｂでは、代替通信手段及びＩＰファックスの両方により被呼されると（ステップＳ７１のＹ）、ビジーその他の理由により当該代替通信手段及びＩＰファックスの回線を使用できないときは（ステップＳ７２のＮ）、エラー応答を画像処理装置１ａに送信し（ステップＳ７３）、処理を終了する。当該代替通信手段又はＩＰファックスの回線を使用可能なときは（ステップＳ７２のＹ）、成功応答を画像処理装置１ａに行う（ステップＳ７４）。
【００６５】
画像処理装置１ａでは、エラー応答があったときは（ステップＳ６２のＮ）、処理を終了し、成功応答があったときは（ステップＳ６２のＹ）、それが代替通信手段であれば（ステップＳ６３のＹ）、ＩＰファックスを発呼停止し（ステップＳ６４）、代替通信手段で画像データを送信する（ステップＳ６５）。
【００６６】
それがＩＰファックスであれば（ステップＳ６３のＮ）、代替通信手段を発呼停止し（ステップＳ６６）、ＩＰファックスで画像データを送信する（ステップＳ６７）。
【００６７】
画像処理装置１ｂでは、使用可能なのが代替通信手段であれば（ステップＳ７５のＹ）、代替通信手段で被呼応答し（ステップＳ７６）、代替通信手段で画像データを受信する（ステップＳ７７）。
【００６８】
使用可能なのがＩＰファックスであれば（ステップＳ７５のＮ）、ＩＰファックスで被呼応答し（ステップＳ７８）、ＩＰファックスで画像データを受信する（ステップＳ７９）。
【００６９】
このように、画像処理装置１によれば、ＩＰファックスがビジー状態であっても、受信側では自らが画像データを受信できる他の通信手段の中から予め定められた基準に基づいて選択して（代替通信手段）、当該代替通信手段及びＩＰファックスのうち先に通信できるようになった手段により画像データを受信できるようにしているので、実施の形態１の場合のように代替通信手段のみで通信しようとする場合に比べて、早期に送信側と受信側との間の回線接続ができる可能性が高くなり、早期の画像データ送信、確実な画像データの受信を図る。
【００７０】
なお、本実施の形態ではファクシミリ機能を備えた画像処理装置の例で説明したが、本発明はこれらに限定されるものではなく、画像データを送受信する様々な装置に本発明を適用することができる。
【図面の簡単な説明】
【００７１】
【図１】本発明の実施の形態１である画像処理装置をオフィス等に導入した場合のシステム構成を示す説明図である。
【図２】本発明の実施の形態１である画像処理装置の電気的な接続のブロック図である。
【図３】本発明の実施の形態１である画像処理装置が実行する処理のフローチャートである。
【図４】本発明の実施の形態１である画像処理装置が実行する処理のフローチャートである。
【図５】ＩＰファックスの回線がビジー状態である旨とともに選択した通信手段がいずれであるかを報知する応答を行うときに、応答で送信するパケットのフォーマットの例を示す説明図である。
【図６】本発明の実施の形態２である画像処理装置が実行する処理のフローチャートである。
【図７】本発明の実施の形態２である画像処理装置が実行する処理のフローチャートである。
【符号の説明】
【００７２】
１    画像処理装置
２    ＬＡＮ
３    ファイアーウォール
４    インターネット
５    公衆回線網
６    ＳＩＰサーバ
【図１】
2010056820.tif 000003
【図２】
2010056820.tif 000004
【図３】
2010056820.tif 000005
【図４】
2010056820.tif 000006
【図６】
2010056820.tif 000007
【図７】
2010056820.tif 000008
【図５】
2010056820.tif 000009